(57)【要約】      （修正有）【課題】環境にやさしく、強度が強く、洩れにくいエコ蓋付き紙コップの提供。【解決手段】エコ蓋付き紙コップは、コップ、蓋からなる。コップ体は容器で、開口内縁に環溝を有し、環溝は蓋をその上に結合する。蓋は側縁に凸環を設置し、凸環をコップの環溝に係入して密封状態を形成し、また、蓋の一端は立体のつまみを設置する。エコ蓋付き紙コップ構造は現代の趨勢に合わせて、紙製の蓋を採用している。【選択図】図２
0003137873.tif 000002
【実用新案登録請求の範囲】
【請求項１】
エコ蓋付き紙コップであって、コップ、蓋からなり、
前記コップ体は容器で、開口内縁に環溝を有し、前記環溝は前記蓋をその上に結合し、
前記蓋は側縁に凸環を設置し、前記凸環を前記コップの環溝に係入して密封状態を形成し、また、前記蓋の一端は立体のつまみを設置することを特徴とする紙コップ。
【請求項２】
前記蓋と前記コップは、紙類等の環境に優しい材質を使用し、廃棄時、自然分解され、回収できることを特徴とする請求項１に記載の紙コップ。
【請求項３】
前記蓋は前記コップと分離でき、使用時、前記蓋を前記コップに係入し、前記蓋の立体つまみは、蓋を取り外す時に便利なだけでなく、商標や広告を印刷して宣伝効果を有することを特徴とする請求項１に記載の紙コップ。
【請求項４】
前記蓋の表面は凹凸のある波浪構造で、型抜き成型により前記蓋の強度を増加し、使用時安定感があり、且つ、前記蓋は紙の繊維と前記コップの環溝により支持し、前記蓋は前記コップをしっかりと蓋し、密合することを特徴とする請求項１に記載の紙コップ。
【請求項５】
前記コップの環溝は上が突出し、下が窪んだ特殊な設計で、前記蓋は前記環溝内に固定され、密合して水が溢れないことを特徴とする請求項１に記載の紙コップ。
【請求項６】
前記蓋の一端は更に固定片を延伸し、前記固定片を前記コップに熱溶融し、更に、前記固定片と前記コップの固定箇所にノッチを有し、前記コップと前記蓋の一体結合が容易であり、前記蓋は脱落しにくく、前記蓋を結合した前記コップは複数を堆積することができ、業者は取り出し使用が便利であることを特徴とする請求項１に記載の紙コップ。
【考案の詳細な説明】
【技術分野】
【０００１】
本考案は蓋付き紙コップ構造に関するものであって、環境保全を考慮し、紙製の蓋とコップの新設計で、構造が簡単化し、且つ、堅固で、生産が容易、低価格の紙コップ構造に関する。
【背景技術】
【０００２】
図１は、公知のプラスチック蓋がコップに結合した状態図である。環境問題を考慮し、紙コップがプラスチックコップを代替しつつある。しかし、一般の紙コップの蓋は依然としてプラスチックである。プラスチックは塑性を有し、コップの上縁にしっかり蓋して固定できる。紙類は無塑性なので、紙類がプラスチック類を代替するのは難しい。環境のために、プラスチックの蓋は改良する必要性がある。
【考案の開示】
【考案が解決しようとする課題】
【０００３】
本考案の目的は、上述の問題を改善するエコ蓋付き紙コップを提供することにある。
【課題を解決するための手段】
【０００４】
本考案のエコ蓋付き紙コップは、コップ、蓋からなる。コップ体は容器で、開口内縁に環溝を有し、環溝は蓋をその上に結合する。蓋は側縁に凸環を設置し、凸環をコップの環溝に係入して密封状態を形成し、また、蓋の一端は立体のつまみを設置する。本考案のエコ蓋付き紙コップ構造は現代の趨勢に合わせて、紙製の蓋を採用している。
【０００５】
本考案のエコ蓋付き紙コップは、蓋の表面は凹凸のある波浪構造で、型押し成型により蓋の強度を増加し、更に、安定感がある。
【０００６】
本考案のエコ蓋付き紙コップは、コップの環溝は上が凸出し、下が窪む特殊な設計で、蓋を環溝内に固定して密合でき、水が溢れ出ない。且つ、蓋は紙類等の環境に優しい材質を使用するので、廃棄時、大自然に分解され、回収可能である。本考案は紙の繊維強度とコップの溝により支持するので、蓋がコップを蓋することができ、水が漏れにくい。
【考案の効果】
【０００７】
本考案のエコ蓋付き紙コップは、従来のプラスチック蓋を紙製に換えて製造し、環境に優しいだけでなく、蓋の強度が増加し、漏れにくい。      
【考案を実施するための最良の形態】
【０００８】
本考案のエコ蓋付き紙コップ構造は、図２の構造分解立体図を参照すると、コップ１０、蓋２０からなる。
【０００９】
コップ体１０は容器で、開口内縁に環溝１１を有し、環溝１１は蓋２０をその上に結合する。
【００１０】
蓋２０は側縁に凸環２２を設置し、凸環２２をコップ１０の環溝１１に係入して密封状態を形成し、また、蓋２０の一端は立体のつまみ２１を設置する。
【００１１】
図３は本考案の組み合わせ図であり、蓋２０はコップ１０から分離でき、使用時に、蓋２０をコップ１０内に係入し、蓋に設置される立体のつまみ２１は商標や広告を印刷し、宣伝効果を有してもよい。
【００１２】
図４は本考案の断面図であり、コップ１０の環溝１１は上が凸出し、下が窪む特殊な設計で、蓋２０を環溝１１内に固定して密合でき、水が溢れ出ない。
【００１３】
図５、図６は、蓋２０とコップ１０の組み合わせ時の断面図であり、蓋２０の表面は凹凸のある波浪構造で、型押し成型により蓋２０の強度を増加し、更に、安定感がある。蓋２０は、紙の繊維強度とコップ１０の環溝により支持し、蓋２０はコップ１０をしっかりと蓋して密合する。
【００１４】
図７は、本考案のもう一つの構造分解図であり、コップ１０、蓋２０からなる。
【００１５】
コップ体１０は容器で、開口内縁に環溝１１を有し、環溝１１は蓋２０をその上に結合する。また、コップ１０一端はノッチ１２を有する。
【００１６】
蓋２０は側縁に凸環２２を設置し、凸環２２をコップ１０の環溝１１に係入して密封状態を形成し、また、蓋２０の一端は立体のつまみ２１を設置する。
【００１７】
上述の素子により構成され、コップ１０と蓋２０を組み合わせ後の状態が図８で示される。
【００１８】
図９は本考案の応用実施例図で、蓋２０とコップ１０を組み合わせ後、蓋２０は凸環２２によりコップ１０の環溝１１に係入されて密封状態を形成し、蓋２０の立体つまみ２１はコップ１０外に突出し、蓋２０の立体つまみ２１は、使用者が蓋２０を取り外しやすく、また、商標や広告を印刷し、宣伝効果を有する。
【００１９】
図１０は本考案のもう一つの実施構造図で、蓋２０の一端が更に固定片２３を延伸し、固定片２３はコップ１０上に熱溶融で固定される。更に、固定片２３とコップ１０の固定箇所にノッチ１２を有し、コップ１０と蓋２０の一体結合が容易であり、蓋２０は脱落しにくくなる。蓋２０を結合したコップ１０は複数を堆積することができ、業者は取り出し使用が便利である。
【図面の簡単な説明】
【００２０】
【図１】公知のプラスチック蓋と紙コップの結合状態図である。
【図２】本考案の構造立体図である。
【図３】本考案の組み合わせ状態図である。
【図４】本考案のコップの断面図である。
【図５】本考案の蓋とコップの組み合わせ断面図である。
【図６】本考案の蓋とコップの組み合わせ時のもう一端の断面図である。
【図７】本考案のもう一つの構造分解図である。
【図８】本考案のもう一つの構造分解図である。
【図９】本考案の応用実施例図である。
【図１０】本考案のもう一つの実施例図である。
【符号の説明】
【００２１】
１００  プラスチック蓋        
１０  コップ
１１  環溝
１２  ノッチ
２０  蓋
２１  立体つまみ
２２  凸環
２３  固定片        
【図１】
0003137873.tif 000003
【図２】
0003137873.tif 000004
【図３】
0003137873.tif 000005
【図４】
0003137873.tif 000006
【図５】
0003137873.tif 000007
【図６】
0003137873.tif 000008
【図７】
0003137873.tif 000009
【図８】
0003137873.tif 000010
【図９】
0003137873.tif 000011
【図１０】
0003137873.tif 000012